(57)【要約】【課題】  本発明は、本発明は、外部接続部材を固定接点の接続部に接続するときに外部接部材に接続部が押されても固定接点が変形することのないスイッチ装置を提供すること。【解決手段】  本発明のスイッチ装置の第１固定接点４には、外部に配設している外部接続部材１０に接続可能な接続部５が形成され、第１固定接点４は、ケース１内部に収納したウエハ３に支持され、このウエハの端面３ｇから所定長さで延出する延出基部４ｂを有し、この延出基部４ｂの延出端部に形成したＵ字状の接続部５が外部接続部材１０に接続可能になっており、前記外部接続部材１０を接続部５に接続するときに加わる荷重によって、延出基部４ｂが変形するのを防止するための補強壁１ｍをケース１またはウエハ３に形成した。【選択図】        図４
2006302717.tif 000002
【特許請求の範囲】
【請求項１】
内部に空洞部が形成されたケースと、前記空洞部に収納された固定接点と、この固定接点に接続することによりスイッチング動作可能な可動接点と、この可動接点を保持した状態で回動操作可能な可動部材とを備え、
前記固定接点には、外部に配設している外部接続部材に接続可能な接続部が形成され、前記固定接点は、前記ケース内部に収納したウエハに支持され、このウエハの端面から所定長さで延出する延出基部を有し、この延出基部の延出端部に形成した前記接続部が前記外部接続部材に接続可能になっており、
前記外部接続部材を前記接続部に接続するときに加わる荷重によって、前記延出基部が変形するのを防止するための補強壁を前記ケースまたは前記ウエハに形成したことを特徴とするスイッチ装置。
【請求項２】
前記固定接点には、前記延出基部の前記端面から延出する延出端部を前記端面に沿って折り返して折り返し根元部が形成され、この折り返し根元部に当接、または近接させて前記補強壁が形成されていることを特徴とする請求項１記載のスイッチ装置。
【請求項３】
前記補強壁は、前記ケース内面から突出させて前記折り返し根元部に当接したことを特徴とする請求項２記載のスイッチ装置。
【請求項４】
前記接続部は、前記端面に沿ってＵ字状に折り返し形成されて開放部と折り返し基部とが形成され、前記折り返し基部には、この折り返し基部を所定の幅寸法で切り欠きして前記外部接続部材が挿通可能な差込孔が形成され、
前記補強壁は、前記折り返し根元に当接し、前記差込孔側から前記外部接続部材を挿通したときに前記延出基部が変形するのを防止するようにしたことをたことを特徴とする請求項３記載のスイッチ装置。
【請求項５】
前記接続部の前記Ｕ字状の前記折り返し基部は、前記挿通孔を挟んで互いに対向する連結部が形成され、前記外部接続部材を前記開放部側から差し込むと、前記連結部が前記ケース内面に当接して、前記延出基部の変形が防止されることを特徴とする請求項４記載のスイッチ装置。
【発明の詳細な説明】
【技術分野】
【０００１】
本発明は、スイッチ装置に係わり、固定接点と可動接点とによりスイッチング動作が可能なスイッチ装置に関する。
【背景技術】
【０００２】
従来のスイッチ装置を特許文献１の第２の実施の形態で説明すると、従来のスイッチ装３０は、図８に示すように、内部に第１空洞部３１ａが形成されたケース３１が配設され、第１空洞部３１ａ内にレバー部材３２が回動可能に支持されている。前記第１空洞部３１ａの左隣に第２空洞部３１ｂが隣設されている。
また、第１空洞部３１ａは、下方側がウエハ３３で遮蔽されており、第２空洞部３１ｂ開放状態となっている。
前記ウエハ３３には、上部側に第１固定接点３４の基部３４ａが埋設され、この基部３４ａの下部に第２固定接点３５の基部３５ａが埋設されて、第１、第２固定接点３４、３５が上下に配設されている。
【０００３】
そして、第１固定接点３４の基部３４ａには、ウエハ３３から図示右側に突出する固定接点部３４ｂが形成され、この固定接点部３４ｂは、円弧状で上方に湾曲形成されている。
また、第１固定接点３４には、ウエハ３３から図示左側に延出させて延出基部３４ｃを形成し、この延出基部３４ｃの図示左側の延出端部に接続部３４ｄが形成され、この接続部３４ｄが第２空洞部３１ｂに位置している。
また、第２固定接点３５の基部３５ａには、ウエハ３３から上方に突出する固定接点部３５ｂが形成され、この固定接点部３５ｂは、第１固定接点３４の接点部３４ｂと同じように湾曲形成されている。
また、第２固定接点３５には、第１固定接点３４の接続部３４ｄと同様に、ウエハ３３から図示左側に延出させて延出基部３５ｃを形成し、この延出基部３５ｃの図示左側の延出端部に接続部３５ｄが形成され、この接続部３５ｄが第２空洞部３１ｂに位置している。
【０００４】
また、第１固定接点３４の固定接点部３４ｂは、第２固定接点３５の固定接点部３５ｂより長く形成されて、常時可動接点３７が接触した状態になっており、第２固定接点３５の固定接点部３５ｂは、レバー部材３２の操作部３２ａを回動操作することで、可動接点３７が接離可能になっている。
このような従来のスイッチ装置３０のケース３１は、それぞれの接続部３４ｄ、３５ｄと対向する部分の図示手前側（一方側）の側板（図示せず）に挿通孔が貫通形成されている。
そして、一方側の側板に形成した挿通孔から外部接続部材（図示せず）を紙面と直交する方向に挿通すると、外部接続部材に接続部３４ｄ、３５ｄが弾接して電気的に接続されるようになっている。
【特許文献１】特開２００４−３１１１２２号公報
【発明の開示】
【発明が解決しようとする課題】
【０００５】
しかし、前述したような従来のスイッチ装置３０は、外部接続部材をケース３１の挿通孔から紙面と直交する方向に挿入して、それぞれの接続部３４ｄ、３５ｄに弾接するときに、接続部３４ｄ、３５ｄが外部接続端子に押され、延出基部３４ｃ、３５ｄが弾性限界以上に変形して、元に復帰することができず、接続部３４ｄ、３５ｄと外部接続端子との電気的な接続が不安定になるおそれがあった。
本発明は、前述したような課題を解決するためになされたもので、外部接続部材を固定接点の接続部に接続するときに外部接部材に接続部が押されても固定接点が変形することのないスイッチ装置を提供することを目的とする。
【課題を解決するための手段】
【０００６】
前記課題を解決するための第１の手段として本発明のスイッチ装置は、内部に空洞部が形成されたケースと、前記空洞部に収納された固定接点と、この固定接点に接続することによりスイッチング動作可能な可動接点と、この可動接点を保持した状態で回動操作可能な可動部材とを備え、
前記固定接点には、外部に配設している外部接続部材に接続可能な接続部が形成され、前記固定接点は、前記ケース内部に収納したウエハに支持され、このウエハの端面から所定長さで延出する延出基部を有し、この延出基部の延出端部に形成した前記接続部が前記外部接続部材に接続可能になっており、
前記外部接続部材を前記接続部に接続するときに加わる荷重によって、前記延出基部が変形するのを防止するための補強壁を前記ケースまたは前記ウエハに形成したことを特徴とする。
また、前記課題を解決するための第２の手段として本発明は、前記固定接点には、前記延出基部の前記端面から延出する延出端部を前記端面に沿って折り返して折り返し根元部が形成され、この折り返し根元部に当接、または近接させて前記補強壁が形成されていることを特徴とする。
【０００７】
また、前記課題を解決するための第３の手段として本発明は、前記補強壁は、前記ケース内面から突出させて前記折り返し根元部に当接したことを特徴とする。
また、前記課題を解決するための第４の手段として本発明は、前記接続部は、前記端面に沿ってＵ字状に折り返し形成されて開放部と折り返し基部とが形成され、前記折り返し基部には、この折り返し基部を所定の幅寸法で切り欠きして前記外部接続部材が挿通可能な差込孔が形成され、
前記補強壁は、前記折り返し根元に当接し、前記差込孔側から前記外部接続部材を挿通したときに前記延出基部が変形するのを防止するようにしたことをたことを特徴とする。
また、前記課題を解決するための第５の手段として本発明は、前記接続部の前記Ｕ字状の前記折り返し基部は、前記挿通孔を挟んで互いに対向する連結部が形成され、前記外部接続部材を前記開放部側から差し込むと、前記連結部が前記ケース内面に当接して、前記延出基部の変形が防止されることを特徴とする。
【発明の効果】
【０００８】
本発明のスイッチ装置の  固定接点には、外部に配設している外部接続部材に接続可能な接続部が形成され、固定接点は、ケース内部に収納したウエハに支持され、このウエハの端面から所定長さで延出する延出基部を有し、この延出基部の延出端部に形成した接続部が外部接続部材に接続可能になっており、
外部接続部材を接続部に接続するときに加わる荷重によって、延出基部が変形するのを防止するための補強壁を前記ケースまたは前記ウエハに形成したので、外部接続部材に固定接点の接続部を接続するときに補強壁によって延出基部が補強されて変形を確実に防止できる。
また、固定接点には、延出基部の端面から延出する延出端部を端面に沿って折り返して折り返し根元部が形成され、この折り返し根元部に当接、または近接させて補強壁が形成されているので、更に確実に固定接点に延出基部の変形を防止できる。
【０００９】
また、補強壁は、ケース内面から突出させて折り返し根元部に当接したので、ケースを成形加工するときに一体形成でき加工性に優れている。
また、接続部は、端面に沿ってＵ字状に折り返し形成されて開放部と折り返し基部とが形成され、折り返し基部には、この折り返し基部を所定の幅寸法で切り欠きして外部接続部材が挿通可能な差込孔が形成され、
補強壁は、折り返し根元に当接し、差込孔側から外部接続部材を挿通したときに延出基部が変形するのを防止するようにしたので、延出基部が変形するのを防止して、固定接点の接続部と外部接続部材との接続を確実にすることができる。
また、接続部のＵ字状の折り返し基部は、挿通孔を挟んで互いに対向する連結部が形成され、外部接続部材を開放部側から差し込むと、連結部がケース内面に当接して、延出基部の変形が防止されるので、Ｕ字状の開放部側から外部接続部材を挿入しても、延出基部が変形するのを防止できる。
そのために、補強壁は、ケース内面の一方側だけに形成すれば良くケースの加工性が良い。
【発明を実施するための最良の形態】
【００１０】
以下に、本発明のスイッチ装置の実施の形態を図面に基づいて説明する。図１は本発明のスイッチ装置の分解斜視図であり、図２は本発明のスイッチ装置の斜視図であり、図３は図２の要部断面図であり、図４は図２の下面から見た要部断面図であり、図５は本発明に係わるウエハの正面図であり、図６、図７は外部接続部材と固定接点との接続を説明する要部断面図である。
【００１１】
まず、本発明の１実施の形態のスイッチ装置を図１〜図３に基づいて説明すると、樹脂材料等からなり外形が略立方体状に形成されたケース１が配設されている。このケース１は、内部に空洞部１ａが形成され、この空洞部１ａは、互いに対向する左右の第１、第２側板１ｂ、１ｃに挟まれていると共に、上方が天板１ｄで遮蔽されて、下方が開放されている。
【００１２】
また、ケース１の天板１ｄには、後述するレバー部材２が挿通可能なレバー挿通孔１ｅが形成されている。
前記互いに対向する左右の第１、第２側板１ｂ、１ｃには、下部側に所定の間隔でスナップ孔１ｆ、１ｆがそれぞれ貫通形成されている。
また、左右の第１、第２側板１ｂ、１ｃのそれぞれには、図示奥側のスナップ孔１ｆの更に奥側に、ソケット等の後述する外部接続部材１０が挿通可能な一対の第１、第２挿通孔１ｇ、１ｈが図示上下にそれぞれ貫通形成されている。
【００１３】
前記第１、第２挿通孔１ｇ、１ｈが形成された部分の空洞部１ａ内には、後述する第１、第２固定接点４、６の第１、第２接続部５、７が位置するようになっている。
また、ケース１には、一対のスナップ孔１ｆ、１ｆ間に丸穴状の第１位置決め孔１ｊが貫通形成されると共に、第１挿通孔１ｇの上方に略小判形状の第２位置決め孔１ｋが貫通形成されている。
また、ケース１の第１側板１ｂの内面には、図４に示すように、後述する後述する大１、第２固定接点４、６の延出基部４ｂ、６ｂのＵ字状の折り返し根元部に当接、または近接させて補強壁１ｍが形成されている。
【００１４】
また、ケース１の空洞部１ａには、可動部材であるレバー部材２が回動自在に支持されている。前記レバー部材２は、樹脂材料等からなり、図示斜め上方に延びる操作部２ａを有する略三角形状の本体部２ｂが形成されている。
前記本体部２ｂ下部には、互いに対向する左右の側部からつば状に突出する一対のストッパー壁２ｃが形成されている。
また、レバー部材２は、本体部２ｂの下部側に突出して接点収納部２ｄが形成され、この接点収納部２ｄの内部には、後述する可動接点９を保持可能な空洞部が形成されている。
【００１５】
また、レバー部材２には、ストッパー壁２ｃの図示奥側に円柱状で突出高さが低い回動支持部２ｅが形成され、この回動支持部２ｅが、回動支持部２ｅをケース１の左右の第１、第２側板１ｂ、１ｃの内面にに形成した支持部（図示せず）に支持されて回動自在になるようになっている。
そして、支持部（図示せず）に回動自在に支持されたレバー部材２は、天板１ｄのレバー挿通孔１ｅから操作部２ａが図示上方に挿通するようになっている。
また、回動支持部２ｅが形成された部分のレバー部材２の内部には、後述する弾性部材８を支持可能なバネ支持部（図示せず）が形成されている。
【００１６】
また、ケース１の空洞部１ａ内の下部側には、樹脂材料等からなるウエハ３が収納可能になっており、このウエハ３には、基部３ａと、この基部３ａの図示奥側に基部３ａより高さの高いバネ支持壁３ｂとが形成されている。
前記バネ支持壁３ｂには、コモン接点である第１固定接点４の一部がインサート成型等により埋設されており、基部３ａには、個別接点である第２固定接点６の一部が埋設されて支持されている。そして、第１、第２固定接点４、６が互いに絶縁されている。
【００１７】
また、バネ支持部３ｂの上端部には、後述する弾性部材８を載置して支持可能な凹状のバネ受け部３ｃが形成され、このバネ受け部３ｃには、弾性部材８の一端部８ａを嵌合させて係止可能なバネ係止部３ｄが溝状に傾斜して形成されている。また、ウエハ３の互いに対向する左右の側面には、ケース１のスナップ孔１ｆ、１ｆにスナップ係合可能な突起部３ｅ、３ｅがそれぞれ突出形成されている。
前記突起部３ｅ、３ｅに挟まれた部分の基部３ａには、ケース１の第１位置決め孔１ｊと略同寸法の貫通孔３ｆが貫通形成されている。
そして、ウエハ３をケース１の空洞部１ａに挿入してスナップ孔１ｆに突起部３ｅをスナップ係合すると、ケース１側の位置決め孔１ｊとウエハ３の貫通孔３ｆとが重なるようになっている。
【００１８】
また、第１、第２固定接点４、６は、導電性を有する金属板からなり、プレス加工等により形成されている。
そして、バネ支持壁３ｂに埋設支持した第１固定接点４は、埋設部分から図示右上方に突出させて第１接点部４ａが形成されている。前記第１固定接点４は、図４の下面図に示すように、ウエハ３の端面３ｇから図示左方向に延出する延出基部４ｂを端面３ｇに沿って略Ｕ字状に折り返して第１接続部５が形成されている。また、第２固定接点６は、基部３ａの埋設部分から図示上方に延出して第２接点部６ａが形成されている。
前記第２固定接点６は、第１接続部５と同様に、端面３ｇから延出する延出基部６ｂを端面３ｇに沿って略Ｕ字状に折り返して第２接続部７が形成されている。
【００１９】
前記第１、第２固定接点４、６のそれぞれの接点部４ａ、６ａは、所定の間隔を有して配設され、回動支持部２ｅを支点として回動するレバー部材２に保持した後述する可動接点９の回動軌跡に沿って円弧状に形成されている。前記第１接点部４ａは、延出高さが第２接点部６ａより高く形成されている。
そのために、第２接点部６ａより高い第１接点部４ａには、後述する可動接点９が常時接するようになっているが、高さの低い第２接点部５ａには、レバー部材２を回動させることで可動接点９が接離可能になっている。
【００２０】
またＵ字状の第１接続部５は、図４、図５に示すように、一方側が開放されて開放部５ａが形成され、他方側の折り返し基部５ｂが延出基部４ｂと略同じ幅寸法でＵ状になっている。
前記他方側の折り返し基部５ｂを所定の幅寸法（寸法Ｂ）で切り欠きして差込孔５ｃが形成され、この差込孔５ｃ近傍、および開放部５ａ近傍には、互いに対向する内向きに三角状に折り曲げられて、片持ち状の第１、第２弾接部５ｄ、５ｅが形成されている。
【００２１】
前記差込孔５ｃの幅寸法（寸法Ｂ）は、第１挿通孔１ｇの幅寸法と略同じか、第１挿通孔１ｇより若干大きく形成されている。
このことにより、後述する外部接続部材１０が、開放部５ａ側、あるいは差込孔５ｃ側のどちらから挿入されたとしても、外部接続部材１０が無理なく第１、第２弾接部５ｄ、５ｅに到達して、第１、第２弾接部５ｄ、５ｅが拡がる方向に弾性変形するようになっている。
そのために、第１、第２固定接点４、６と外部接続部材１０とが、電気的に確実に接続されるようになっている。
【００２２】
また、第１接続部５の製造方法は、第１接続部５をＵ字状に折り返す前に、プレス加工等で折り返し基部５ｂとなる部分を寸法Ｂで切り欠いて差込孔５ｃを形成し、その後、折り返し基部５ｂをＵ字状に折り返すことで第１接続部５が形成される。
また、折り返し基部５ｂは、切り欠き形成した差込孔５ｃを挟んで互いに対向する連結部５ｆ、５ｆが形成され、この連結部５ｆ、５ｆが略Ｕ時状に折り返されている。前記第２弾接部５ｅは、折り返し基部５ｂを切り欠きする時に、同時に形成されるようになっている。
また、第２固定接点６の第２接続部７は、第１接続部５と同じ構成なので、詳細な説明は省略する。そして、第２接続部７には、開放部７ａ、折り返し部７ｂ、差込孔７ｃ、第１弾接部５ｄ、第２弾接部５ｅ、連結部７ｆがそれぞれ形成されている。
【００２３】
このような第１、第２固定接点４、６は、ウエハ３をケース１の空洞部１ａにスナップ係止すると、ケース１の第１側板１ｂの第１挿通孔１ｇと第１接続部５の開放部５ａとが対峙すると共に、第１側板１ｂの第２挿通孔１ｈと第２接続部７の開放部７ａとが対峙する。
更に、ケース１の第２側板１ｃの第１挿通孔１ｇと第１接続部５の差込孔５ｃとが対峙すると共に、第２側板１ｃの第２挿通孔１ｈと第２接続部７の差込孔７ｃとが対峙する。
【００２４】
また、第１、第２固定接点４、６の延出基部４ｂ、６ｂのＵ字状の折り返し根元部が、第１側板１ｂの内面に形成した補強壁１ｍに当接、または近接する。
また、第１、第２固定接点４、６は、ウエハ３に埋設した部分を挟んで第１、第２接点部４ａ、６ａと、第１、第２接続部５、７とが離れた位置に形成されているので、第１、第２接続部５、７に、後述するプラグ等の外部接続部材１０を接続したときに発生する火花等の異物が、第１、第２接点部４ａ、６ａに飛散するのを防止することができる。
【００２５】
また、ウエハ３のバネ支持壁３ｂに形成したバネ受け部３ｃには、捻りコイルバネからなる弾性部材８が支持可能になっており、前記弾性部材８は、一端部８ａと他端部８ｂとが所定の角度を有して外側に導出形成されている。
そして、バネ受け部３ｃに弾性部材８を載置すると、一端部８ａがウエハ３のバネ係止部３ｄに嵌合してウエハ３に係止されると共に、他端部８ｂがレバー部材２の右側のストッパ壁２ｃに弾接して、レバー部材２を上方に弾性付勢するようになっている。
【００２６】
また、レバー部材２の接点収納部２ｄ内に形成した空洞部には、リン青銅板等の弾性を有する金属板を略コ字状に折り曲げ形成した可動接点９が収納されている。前記可動接点９は、両端部が連結部９ａ、９ａで連結され、この連結部９ａ、９ａ間にクリップ状の第１、第２接点部９ｂ、９ｃが、第１、第２接点部４ａ、６ａと同じピッチ寸法で形成されている。
【００２７】
そして、レバー部材２の接点収納部２ｄ内の空洞部に収納して保持した可動接点９は、動きが規制されて抜け止めされるようになっている。
前記レバー部材２の接点収納部２ｄ内に保持した可動接点９は、レバー部材２の回動操作で、第１接点部９ｂが第１固定接点４の板状の第１接点部４ａを、第２接点部９ｃが第２固定接点６の板状の第２接点部６ａをそれぞれ挟み込んだ状態で、円弧状の第１、第２接点部４ａ、６ａに沿って摺動可能になっている。
【００２８】
このような構成の本発明のスイッチ装置の動作を説明すると、まず、レバー部材２を操作する前の初期状態においては、図３に示すように、弾性部材８の付勢力でレバー部材２が上方に回動して、ストッパ壁２ｃがケース１の天板１ｄの天井面に当接した状態になっている。
この初期状態における可動接点９の第１接点部９ｂは、第１固定接点４の第１接点部４ａに接触しており、第２接点部９ｃは、第２固定接点６の第２接点部６ａから離間している。
そのために、第１、第２固定接点４、６は、電気的に不動通状態となっている。
【００２９】
前記初期状態において、レバー部材２を矢印Ｃ方向に回動操作すると、図示を省略するが、第２固定接点６の第２接点部６ａに可動接点９の第２接点部９ｃが接触して、第１、第２固定接点４、６が、可動接点９を介して導通し第１、第２固定接点４、６間のスイッチ回路が切り換わってスイッチング動作が行われる。
この時の可動接点９は、レバー部材２の接点収納部２ｄ内の空洞部で動きが規制されているので、レバー部材２の回動操作に確実に連動して回動するので、レバー部材２の回動操作で確実にスイッチ回路を切り換えることができる。
【００３０】
また、第１、第２固定接点４、６間のスイッチ回路が切り換わって、矢印Ｃ方向に加えていたレバー部材２の操作荷重を解除すると、レバー部材２は、弾性部材８の付勢力で図３に示す初期状態に自動復帰する。
このことにより、可動接点９の第２接点部９ｃが第２接点部６ａから離間して、スイッチ回路が初期状態に復帰する。
前述したような本発明のスイッチ装置の可動接点９は、レバー部材２の接点収納部２ｄに収納するだけで動きが規制されて抜け止めされるので、組立性に優れていると共に、レバー部材２の回動に忠実に連動して回動することができ、スイッチ回路の切り換えタイミングのバラツキをなくすることができる。
【００３１】
このような本発明のスイッチ装置は、図６、図７に示すように、外部のプラグ等の外部接続部材１０を立設した取付部材１１に取付可能になっている。
そして、本発明のスイッチ装置は、左右の第１、第２側板１ｂ、１ｃに形成した第１、第２挿通孔１ｇ、１ｈと、第１、第２固定接点４、６の第１、第２接続部５、７とが対峙しているので、例えば右開閉のドアからなる取付部材１１に取り付けるには、図７に示すように、第２側板１ｃ側を右開閉のドアである取付部材１１と対向させて、第２側板１ｃ側の第１、第２挿通孔１ｇ、１ｈに外部接続部材１０を挿通すると、開放部５ａから外部接続部材１０が侵入して、第１、第２弾接部５ｄ、５ｅに弾接する。
【００３２】
前記外部接続部材１０が第１、第２弾接部５ｄ、５ｅに弾接する時に、第１接続部５が図７において、上部側に押されるが、延出基部４ｂが補強壁１ｍに当接するので、第１固定接点４の変形を防止できる。
また、外部接続部材１０が開放部５ａから侵入して、第１、第２弾接部５ｄ、５ｅに弾接することにより、第１、第２接続部５、７と外部接続部材１０とが接続されとともに、第１、第２位置決め孔１ｊ、１ｋに、取付部材１１側の位置決めピン（図示せず）が嵌合して、本発明のスイッチ装置が取付部材１１の所定位置に位置決めされて取り付けされる。
【００３３】
また、取付部材１１が、例えば左開閉のドアの場合だと、図６に示すように、左側の第１側板１ｂ側を左開閉のドアである取付部材１１と対向させて、第１側板１ｂ側の第１、第２挿通孔１ｇ、１ｈに外部接続部材１０を挿通することで、第１、第２接続部５、７と外部接続部材１０とを接続することができる。
この時第１接続部５は、挿入してきた外部接続部材１０で図示下方側に押されるが、折り返し基部５ぼ一対の連結部５ｆ、５ｆが第２側板１ｃの内面に当接するので、延出基部４ｂが変形するのを防止できる。
【００３４】
本発明のスイッチ装置は、姿勢を変えることなく、左右両方向から外部接続部材１０に第１、第２固定接点４、６を接続できるので、１種類で右開閉のドア用と左開閉のドア用とを兼用することができる。
また、補強壁１ｍによって、第１、第２固定接点４、６の延出基部４ｂ、６ｂから折れ曲がって変形するのを防止できる。
尚、本発明の実施の形態では、第１側板１ｂの内面に補強壁１ｍを設けたもので説明したが、第２側板１ｃの内面にも補強壁１ｍを設けたものでも良い。
【図面の簡単な説明】
【００３５】
【図１】本発明のスイッチ装置の分解斜視図である。
【図２】本発明のスイッチ装置の斜視図である。
【図３】図２の要部断面図である。
【図４】図２の下面から見た要部断面図である。
【図５】本発明に係わるウエハの正面図である。
【図６】外部接続部材と固定接点との接続を説明する要部断面図である。
【図７】外部接続部材と固定接点との接続を説明する要部断面図である。
【図８】従来のスイッチ装置を説明する斜視図である。
【符号の説明】
【００３６】
１  ケース
１ａ  空洞部
１ｂ  第１側板
１ｃ  第２側板
１ｆ  スナップ孔
１ｇ  第１挿通孔
１ｈ  第２挿通孔
２  レバー部材
２ａ  操作部
２ｂ  本体部
２ｃ  ストッパ壁
３  ウエハ
３ａ  基部
３ｂ  バネ支持壁
３ｃ  バネ受け部
４  第１固定接点
４ａ  第１接点部
５  第１接続部
５ａ  開放部
５ｂ  折り返し基部
５ｃ  差込孔
５ｄ  第１弾接部
５ｅ  第２弾接部
５ｆ  連結部
６  第２固定接点
７  第２接続部
８  弾性部材
９  可動接点
１０  外部接続部材
１１  取付部材
【図１】
2006302717.tif 000003
【図２】
2006302717.tif 000004
【図３】
2006302717.tif 000005
【図４】
2006302717.tif 000006
【図５】
2006302717.tif 000007
【図６】
2006302717.tif 000008
【図７】
2006302717.tif 000009
【図８】
2006302717.tif 000010